(57)【要約】【課題】人感センサによって使用者の有無を確実に検知する。【解決手段】  検知信号に基づいて光源の点灯と消灯を行う携帯式照明装置１００であって、人の有無を検知して検知信号を出力する人感センサ１１２を備え、人感センサは、人の有無を検知する検知範囲が光源１０４の照射領域に含まれるように装置本体部１０５に設けられていることを特徴とする。【選択図】図３
2020047396.tif 000002
【特許請求の範囲】
【請求項１】
検知信号に基づいて光源の点灯と消灯を行う携帯式照明装置であって、
人の有無を検知して前記検知信号を出力する人感センサを備え、
前記人感センサは、前記人の有無を検知する検知範囲が前記光源の照射領域に含まれるように装置本体部に設けられていることを特徴とする携帯式照明装置。
【請求項２】
前記携帯式照明装置は、前記装置本体に着脱可能な電球を光源として備え、
前記電球の少なくとも背面側を覆うことにより前記照射領域を前記装置本体の正面側に規制する反射板を前記装置本体部にさらに備え、
前記人感センサは、前記反射板によって制限された照射領域における人の有無を検知可能であるように、前記装置本体部の正面側に設けられていることを特徴とする請求項１に記載の携帯式照明装置。
【請求項３】
前記反射板は、前記電球の背面側から頂面側にかけて覆うように構成される半ドーム形状であり、
前記人感センサは、前記反射板よりも前記装置本体部の正面側に配置されて、前記検知範囲が前記照射領域に含まれることを特徴とする請求項１に記載の携帯式照明装置。
【請求項４】
前記反射板は、前記電球を覆う電球保護カバーの内側または外側から着脱可能に構成されることを特徴とする請求項１乃至３の何れか１項に記載の携帯式照明装置。
【請求項５】
前記人感センサは、前記装置本体部の正面側の表面よりも内側に、かつ、少なくとも９０度以上の検知範囲が確保可能な位置に配置されていることを特徴とする請求項１乃至４の何れか１項に記載の携帯式照明装置。
【請求項６】
前記携帯式照明装置は、前記装置本体部の側面側に、略Ｕ字型のハンドル部が両端側に設置される枢止部を介して回動自在に取り付けられ、照射方向を該ハンドル部に対して調整可能に構成され、
前記人感センサの検出範囲は、照射方向に連動するように取り付けられていることを特徴とする請求項１乃至５の何れか１項に記載の携帯式照明装置。
【請求項７】
前記装置本体部の側面側に、略Ｕ字型のハンドル部が両端側に設置される枢止部を介して回動自在に取り付けられており、該ハンドル部の中央にフック部が回動自在に取り付けられていることを特徴とする請求項１乃至６の何れか１項に記載の携帯式照明装置。
【発明の詳細な説明】
【技術分野】
【０００１】
本発明は、建設現場やアウトドア用に使用され、商用電源用電球を光源として使用可能な携帯式照明装置に関する。
【背景技術】
【０００２】
近年、省電力等の理由によりＬＥＤを利用した照明器具が開発されており、商用電源に接続できる電球型ＬＥＤランプが知られている。このような商用電源用ＬＥＤランプは、当該ＬＥＤランプからなる電球を光源として、電池を動力源とする携帯型の照明装置にも適用されている。商用電源用ＬＥＤランプを光源として、電池を動力源とする携帯型照明装置として、例えば、特許文献１には、電池より出力される直流電圧を商用電源用ＬＥＤランプが利用可能な交流電圧に変換して、商用電源用ＬＥＤランプを照明光とする携帯型照明装置が開示されている。
【先行技術文献】
【特許文献】
【０００３】
【特許文献１】特開２０１３−０８９４１４号公報
【発明の概要】
【発明が解決しようとする課題】
【０００４】
商用電源で駆動させることを前提に設計されている電球は、従来の携帯用照明装置に用いられている光源と比較して、消費電力が大きい傾向がある。そのため、商用電源用電球を携帯用照明装置で使用する場合には、駆動時間が十分に確保されないことが懸念される。このため、使用者が近傍にいない場合に消灯させるために、近傍の使用者の有無を検知できる人感センサを搭載して消費電力を節約可能とする携帯式照明装置が開発されている。しかしながら、人感センサの配置位置によっては、使用者の有無を確実に検知できない場合があった。かかる課題を解決するために、人感センサを多数使用して様々な方向に配置すると、使用者以外を誤って検知して、必要以上に照明の消灯と点灯を繰り返すことが懸念されていた。
【０００５】
本発明は、上記課題に鑑みてなされたものであり、人感センサによって使用者の有無を確実に検知することの可能な、新規かつ改良された携帯式照明装置を提供することを目的とする。
【課題を解決するための手段】
【０００６】
本発明の一態様は、検知信号に基づいて光源の点灯と消灯を行う携帯式照明装置であって、人の有無を検知して前記検知信号を出力する人感センサを備え、前記人感センサは、前記人の有無を検知する検知範囲が前記光源の照射領域に含まれるように装置本体部に設けられていることを特徴とする。
【０００７】
本発明の一態様によれば、人感センサの検知範囲が反射板によって規制される照射領域に含まれるように人感センサが配置されるので、１つの人感センサで使用者の有無を確実に検知できるようになる。
【発明の効果】
【０００８】
以上説明したように本発明によれば、検知範囲が照射領域に含まれるように構成されるので、１つの人感センサで使用者の有無を確実に検知できるようになる。また、使用者の有無を確実に検知できるので、照明装置の点灯と消灯を適切に制御でき、消費電力を節約できる。
【図面の簡単な説明】
【０００９】
【図１】（Ａ）及び（Ｂ）は、本発明の一実施形態に係る携帯式照明装置の概略構成を示す斜視図である。
【図２】（Ａ）及び（Ｂ）は、本発明の一実施形態に係る携帯式照明装置の概略構成を示す側面図である。
【図３】本発明の一実施形態に係る携帯式照明装置のバッテリを外した状態を側面側から見た断面図である。
【図４】本発明の一実施形態に係る携帯式照明装置のバッテリを外してハンドル部で回転させた状態を側面側から見た断面図である。
【図５】本発明の一実施形態に係る携帯式照明装置のバッテリを外してハンドル部のフック部で回転させた状態を正面側から見た正面図である。
【図６】（Ａ）乃至（Ｄ）は、本発明の一実施形態に係る携帯式照明装置に備わる反射板の構成例を示す斜視図である。
【図７】（Ａ）は、本発明の一実施形態に係る携帯式照明装置に２５．２Ｖのバッテリを装着した状態を示す斜視図であり、（Ｂ）は、本発明の一実施形態に係る携帯式照明装置に２５．２Ｖのバッテリを装着した状態を示す断面図である。
【図８】（Ａ）は、本発明の一実施形態に係る携帯式照明装置に１８Ｖのバッテリを装着した状態を示す斜視図であり、（Ｂ）は、本発明の一実施形態に係る携帯式照明装置に１８Ｖのバッテリを装着した状態を示す断面図である。
【図９】本発明の一実施形態に係る携帯式照明装置の装置本体部の底面側に設けられるバッテリコネクタ部の概略構成を示す斜視図である。
【発明を実施するための形態】
【００１０】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。また、本発明の一実施形態に係る携帯式照明装置について、商用電源用電球を例にとって説明するが、商用電源用電球に限定されなく、商用電源用電球以外にも適用可能である。
【００１１】
まず、本発明の一実施形態に係る携帯式照明装置の概略構成について、図面を使用しながら説明する。図１（Ａ）及び（Ｂ）は、本発明の一実施形態に係る携帯式照明装置の概略構成を示す斜視図であり、図２（Ａ）及び（Ｂ）は、本発明の一実施形態に係る携帯式照明装置の概略構成を示す側面図である。なお、図１（Ａ）及び図２（Ａ）は、本発明の一実施形態に係る携帯式照明装置の電球保護カバーが取り付けられた状態の斜視図および側面図であり、図１（Ｂ）及び図２（Ｂ）は、本発明の一実施形態に係る携帯式照明装置の電球保護カバーが取り外された状態の斜視図および側面図である。
【００１２】
本発明の一実施形態に係る携帯式照明装置１００は、ＬＥＤ電球等の商用電源用電球１０４を光源として使用可能な携帯式照明装置であり、建設現場やアウトドア用に使用される。携帯式照明装置１００は、図１（Ｂ）及び図２（Ｂ）に示すように、装置本体部１０５の口金１０２に着脱可能な商用電源用電球１０４が取り付けられている。図１（Ｂ）に示すように、装置本体部１０５には、商用電源用電球１０４の少なくとも背面側を覆うように、商用電源用電球１０４の片側側面から頂面にかけて覆う半ドーム形状の反射板１０６が設置されている。そして、図１（Ａ）に示すように、商用電源用電球１０４を保護するために、その外側を覆うように、全ドーム形状の電球保護カバー１０８が設けられている。
【００１３】
装置本体部１０５の正面側には、商用電源用電球１０４の照射領域における人の有無を検知して検知信号を出力することによって、使用者が近傍にいない場合に光源となる商用電源用電球１０４を消灯可能とするための人感センサ１１２が設けられている。また、装置本体部１０５の側面側には、略Ｕ字型のハンドル部１１４が両端側に設置される枢止部１１４ｂを介して回動自在に取り付けられ、商用電源用電球１０４の照射方向を上記ハンドル部１１４に対して調整可能に構成されている。そして、当該ハンドル部１１４の略中央には、建設現場等に備わるポール等の係止手段に係止可能なフック部１１４ａが回動自在に取り付けられている。さらに、装置本体部１０５の底面側には、バッテリ接続部１０５ｂ（図９参照）を介して着脱可能な充電式のバッテリ１１０が取り付けられている。
【００１４】
本発明の一実施形態に係る携帯式照明装置１００は、１つの人感センサ１１２で使用者の有無を確実に検知できるようにするために、商用電源用電球１０４の照射領域を規制する反射板１０６と人感センサ１１２との配置に特徴を有する。すなわち、図２（Ａ）及び図２（Ｂ）に示すように、人感センサ１１２は、人の有無を検知する検知範囲が光源としての商用電源用電球１０４の照射領域に含まれるように、装置本体部１０５の正面側に設けられていることを特徴とする。また、人感センサ１１２の検出範囲は、照射方向に連動するように取り付けられている。
【００１５】
次に、本発明の一実施形態に係る携帯式照明装置の具体的な構成について、図面を使用しながら説明する。図３は、本発明の一実施形態に係る携帯式照明装置のバッテリを外した状態を側面側から見た断面図であり、図４は、本発明の一実施形態に係る携帯式照明装置のバッテリを外してハンドル部で回転させた状態を側面側から見た断面図である。また、図５は、本発明の一実施形態に係る携帯式照明装置のバッテリを外してハンドル部のフック部で回転させた状態を正面側から見た正面図である。なお、図３乃至５では、係止先となる単管Ｐ１にフック部１１４ａとハンドル部１１４を介して、吊り下げて使用された状態を示す。
【００１６】
本発明の一実施形態に係る携帯式照明装置１００は、人感センサ１１２を用いて作業エリアに使用者等の人がいることを検知したときのみ点灯させて、不必要なときには、消灯することによって、充電式ライトとなるＬＥＤ電球等の商用電源用電球１０４の長時間駆動を可能にするものである。すなわち、本実施形態では、携帯式照明装置１００は、人感センサ１１２の検知範囲が反射板１０６によって規制される照射領域に含まれるように、人感センサ１１２が配置されるので、１つの人感センサ１１２で使用者の有無を確実に検知できるようになっている。ここで言う作業エリアとは、照明装置の照射範囲である。
【００１７】
具体的には、反射板１０６は、図３に示すように、商用電源用電球１０４の背面側から頂面側にかけて覆うように構成される半ドーム形状であり、人感センサ１１２は、反射板１０６よりも装置本体部１０５の正面側に配置されて、検知範囲が照射領域に含まれるようになっている。すなわち、反射板１０６は、商用電源用電球１０４をランタンに適した配光にするために、電球１０４の頂点と側面の一部を遮るように形成される半ドーム形状となっている。一方、人感センサ１１２は、電球１０４のソケットとなる口金１０２に対して反射板１０６と対向する位置の装置本体部１０５の正面側の側面部に配置される。
【００１８】
このように、ランタンに適した配光にするための反射板１０６によって照射領域を規制し、さらに、人感センサ１１２の検知範囲が照射領域に含まれるようにしている。このため、１つの人感センサ１１２で照射可能な範囲（作業エリア）に使用者がいることを確実に検知できる。その際、照射領域と検知範囲を一致させることが好ましいが、常に反射板によって規制された照射領域に検知範囲が含まれる様に人感センサを配置していれば、光が届かない範囲（作業エリア外）にいるのに、人感センサ１１２が人を検知して無駄に点灯するような事態を防ぐことができる。
【００１９】
一般的な電球は、頂点方向を中心に全周にわたって発光する。床置きされた場合、有効な配光にならないため、照射方向を制限する反射板が必要である。そこで、本実施形態では、上述のように反射板１０６を半ドーム形状に構成している。
【００２０】
また、本実施形態では、人感センサ１１２は、図３に示すように、装置本体部１０５の正面側の外郭の表面よりも内側に配置されており、その表面を硬質な透明な樹脂等の保護カバー１１２ａで覆われている。すなわち、人感センサ１１２の検知感度を低下させずに、人感センサ１１２の破損を防ぐため、人感センサ１１２は、装置本体部１０５の正面側の外郭に対して凹部側に設けられて、人感センサ１１２の周囲に壁が形成されるようになっている。このように、人感センサ１１２の周囲に壁が形成されることによって、人感センサ１１２のレンズが破損するリスクが低減されるので、より長期間に亘って１つの人感センサで使用者の有無を確実に検知できるようになる。
【００２１】
ただし、人感センサ１１２は、装置本体部１０５の正面側の外郭の表面よりも大幅に奥まった箇所に配置されると、十分な検知範囲を確保できない。このため、本実施形態では、人感センサ１１２は、少なくとも９０度以上の検知範囲が確保可能な位置となるように配置されている。
【００２２】
また、本実施形態では、商用電源用電球１０４の照射方向を調整するための調整機構を設ける。具体的には、装置本体部１０５の側面側に、略Ｕ字型のハンドル部１１４が両端側に設置される枢止部１１４ｂを介して回動自在に取り付けられ、当該ハンドル部１１４の中央にフック部１１４ａが回動自在に取り付けられている。
【００２３】
このように、本実施形態では、携帯式照明装置１００は、装置本体部１０５にハンドル部１１４が枢止部１１４ｂを介して回動自在に取り付けられている。このため、照射方向を上下方向に調整可能である。その際、人感センサ１１２と反射板１０６との位置関係が変わらないので、照射方向を調整しても、常に照射領域に人感センサ１１２の検知範囲が含まれる。上記の他、振動や風等によって傾いても、人感センサ１１２の検知範囲が反射板１０６によって規制される照射領域に含まれるようになる。
【００２４】
また、本実施形態では、ハンドル部１１４の中央に係止先となる単管Ｐ１に係止可能なフック部１１４ａが回動自在に取り付けられている。このため、図５に示すように、ハンドル部１１４を介して商用電源用電球１０４を取り付けた装置本体部１０５が回転移動しても、人感センサ１１２の検出範囲は、照射方向に連動すうように取り付けられているため、人感センサ１１２がハンドル部１１４に遮断されることがないので、人感センサ１１２の検知範囲が反射板１０６によって規制される照射領域に含まれるようになる。
【００２５】
すなわち、本実施形態では、装置本体部１０５に取り付けられた人感センサ１１２を正面側に設置した装置本体部１０５に枢止部１１４ｂを介してハンドル部１１４を回動自在に取り付け、かつ、当該ハンドル部１１４の中央に単管Ｐ１等の係止先に係止可能なフック部１１４ａが回動自在に取り付けられている。このため、反射板によって照射領域を制限しているが、照射方向の調整が可能であり、しかも、つねに照射方向と検知範囲が対応（連動）するように構成したので、どこを照射していても、確実に点灯消灯ができる。
【００２６】
次に、本発明の一実施形態に係る携帯式照明装置に備わる反射板の具体的な構成について、図面を使用しながら説明する。図６（Ａ）乃至（Ｄ）は、本発明の一実施形態に係る携帯式照明装置に備わる反射板の構成例を示す斜視図である。
【００２７】
本実施形態では、光源となる商用電源用電球１０４の少なくとも背面側を含む一部を反射板１０６で覆うことによって、電球１０４の照射範囲を調整している。商用電源用電球１０４は、一般的には頂点方向を中心に全周に亘って照射するが、その一部を反射板１０６で覆うことによって反射板１０６側に照射した光が反射板１０６で反射して、かかる反射光が当該反射板１０６で覆った側と反対側に向けて照射される。このため、反射板１０６を設けることによって、電球１０４の照射範囲を規制しながら、当該照射範囲を集中させることによって、その照度を向上させるものとなっている。特に電球１０４の頂点を覆うことで、適切な配光が得られる。
【００２８】
本実施形態では、反射板１０６は、図６（Ａ）に示すように、電球１０４（図３参照）の背面側から頂部にかけて被覆可能に構成される半ドーム形状の構成となっている。当該反射板１０６は、装置本体部１０５（図３参照）に嵌合やネジ止め等により立設するように取り付けられる。
【００２９】
ただし、反射板１０６の形状は、少なくとも商用電源用電球１０４を背面側から被覆可能に構成されていれば、図６（Ａ）に示す構成に限定されない。例えば、図６（Ｂ）に示すように、反射板２０６は、半ドーム形状で、その縁部下端側に電球保護カバー１０８に係止可能な係止部２０６ｂを設けて、電球保護カバー１０８の外側から着脱可能に構成されてもよい。
【００３０】
また、図６（Ｃ）に示すように、反射板３０６は、半ドーム形状であり、その縁部下端側に電球保護カバー１０８の下端側に把持可能な把持部３０６ｂを設けて、電球保護カバー１０８の外側から着脱可能に構成されてもよい。さらに、図６（Ｄ）に示すように、反射板４０６は、ハンドル部と一体型の構成として、ハンドル部としての機能と反射板としての機能を兼用してもよい。このような形態にすることで、照明装置を床に置いて使用する場合であっても、照射方向の調整が可能になる。
【００３１】
このように、本実施形態では、反射板２０６、３０６、４０６が商用電源用電球１０４を覆う電球保護カバー１０８の外側から着脱可能に構成されることによって、反射板２０６、３０６、４０６の設置態様の設計自由度を高めながら、１つの人感センサ１１２で使用者の有無を確実に検知することを実現できるようになる。
【００３２】
なお、反射板を使用せず、光源の取り付け方向によって照射方向がきまるような構造を備えた照明装置でも良い。
【００３３】
次に、本発明の一実施形態に係る携帯式照明装置のバッテリとの接続部の構成について、図面を使用しながら説明する。図７（Ａ）は、本発明の一実施形態に係る携帯式照明装置に２５．２Ｖのバッテリを装着した状態を示す斜視図であり、図７（Ｂ）は、本発明の一実施形態に係る携帯式照明装置に２５．２Ｖのバッテリを装着した状態を示す断面図であり、図８（Ａ）は、本発明の一実施形態に係る携帯式照明装置に１８Ｖのバッテリを装着した状態を示す斜視図であり、図８（Ｂ）は、本発明の一実施形態に係る携帯式照明装置に１８Ｖのバッテリを装着した状態を示す断面図であり、図９は、本発明の一実施形態に係る携帯式照明装置の装置本体部の底面側に設けられるバッテリコネクタ部の概略構成を示す斜視図である。
【００３４】
本実施形態では、ユーザの利便性を高めるために、携帯式照明装置１００は、装置本体部１０５に各サイズのバッテリ１１０ａ、１１０ｂを取り付け可能に構成されている。通常、１４．４Ｖ用と１８Ｖ用のバッテリ１１０ｂは、装置本体部１０５のバッテリ接続部１０５ｂと嵌合する不図示のコネクタ部のレール長さが同じであり、突起形状が幾分異なるものとなっている。一方、２５．２Ｖ用のバッテリ１１０ａは、１４．４Ｖ用と１８Ｖ用の何れのバッテリ１１０ｂとレール長さも、突起形状も大きく異なっている。
【００３５】
このため、本実施形態では、図７（Ａ）及び図８（Ａ）に示すように、携帯式照明装置１００の装置本体部１０５の底面側に設けられるバッテリ接続部１０５ｂに部分的に切欠き１０５ｂ１を設け、不図示の工具取付部の寸法が異なる複数種類のバッテリを装着可能にしている。このように、バッテリ接続部１０５ｂに電池逃げ部となる切欠き１０５ｂ１を設けることによって、２５．２Ｖ用の大きいバッテリ１１０ａの装着時には、図７（Ａ）に示すように、電池逃げ部となる切欠き１０５ｂ１が塞がれ、１４．４Ｖ用や１８Ｖ用の小さいバッテリ１１０ｂの装着時には、図８（Ａ）に示すように、切欠き１０５ｂ１が開口した状態で、それぞれ取付可能になっている。
【００３６】
このように、装置本体部１０５のバッテリ接続部１０５ｂに切欠き１０５ｂ１を設けることによって、携帯式照明装置１００のサイズ拡大は、防げるものの、小さい電池装着時に切欠き１０５ｂ１が開口となってしまい、当該切欠き１０５ｂ１から水や粉塵等が浸入し、耐水・耐粉塵性能が低下する懸念が発生する。特に、バッテリ１１０ａ、１１０ｂとの接続部は、電極等が露出しており、その部分への水・粉塵の内部への浸入が問題となる。
【００３７】
このため、本実施形態では、図７（Ｂ）及び図８（Ｂ）に示すように、装置本体部１０５のバッテリ接続部１０５ｂのケース内部にリブ１０５ｂ２を設けて、切欠き１０５ｂ１から入った水・粉塵が内部に浸入し難い構造としている。また、リブ１０５ｂ２は、バッテリ接続部１０５ｂに設けられる図９に示すバッテリコネクタ部１０５ｂ３自体にもリブ１０５ｂ４を設けて、より一層、耐水・耐粉塵性能を高めるようにしてもよい。
【００３８】
このように、本実施形態では、１４．４Ｖ用や１８Ｖ用の小さいバッテリ１１０ｂに合わせてバッテリ接続部１０５ｂを設計して、２５．２Ｖ用の大きいバッテリ１１０ａに合わせて切欠き１０５ｂ１を設けることによって、アダプタ等の新たな別部品を追加することなく、工具取付部の寸法が異なる複数種類のバッテリ１１０ａ、１１０ｂを装着可能にできる。また、装置のサイズ拡大と耐水・耐粉塵性能低下の両方を抑止しつつ、工具取付部の寸法が異なる複数種類のバッテリ１１０ａ、１１０ｂが装着可能な携帯式照明装置１００を実現できるものとなる。
【００３９】
以上説明したように、本発明の各実施形態に係る携帯式照明装置は、人感センサの検知範囲が反射板によって規制される照射領域に含まれるように人感センサが配置される構成となっている。このため、１つの人感センサで作業エリアにおける使用者の有無を確実に検知するので、作業エリアに使用者等の人がいる場合のみに照明を点灯させて、不必要なときには、照明を消灯させられる。これによって、１つのバッテリでＬＥＤ電球等の光源をより長時間駆動させることが実現されるので、極めて大きな工業的価値を有する。
【００４０】
なお、上記のように本発明の各実施形態について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００４１】
例えば、明細書又は図面において、少なくとも一度、より広義又は同義な異なる用語と共に記載された用語は、明細書又は図面のいかなる箇所においても、その異なる用語に置き換えることができる。また、携帯式照明装置の構成、動作も本発明の各実施形態で説明したものに限定されず、種々の変形実施が可能である。
【符号の説明】
【００４２】
１００  携帯式照明装置、１０２  口金、１０４  商用電源用電球（光源、電球）、１０５  装置本体部、１０５ｂ  バッテリ接続部、１０５ｂ１  切欠き、１０５ｂ２  リブ、１０５ｂ３  バッテリコネクタ部、１０５ｂ４  リブ、１０６、２０６、３０６、４０６  反射板、１０８  電球保護カバー、１１０、１１０ａ、１１０ｂ  バッテリ、１１２  人感センサ、１１２ａ  （人感センサ）保護カバー、１１４  ハンドル部、１１４ａ  フック部、１１４ｂ  枢止部
【図１】
2020047396.tif 000003
【図２】
2020047396.tif 000004
【図３】
2020047396.tif 000005
【図４】
2020047396.tif 000006
【図５】
2020047396.tif 000007
【図６】
2020047396.tif 000008
【図７】
2020047396.tif 000009
【図８】
2020047396.tif 000010
【図９】
2020047396.tif 000011